(57)【要約】【課題】  パネルどうしを接合するシール材を、紫外線並びに鳥害から保護し、しかも、雪止めに対しても対処可能とする。【解決手段】  屋根の傾斜方向に延びる複数の縦枠部材２と屋根の傾斜方向と直交する方向に延びる複数の横枠部材３とによって格子状のパネルフレーム４を構成する。パネルフレームの縦枠部材と横枠部材とに囲まれる領域にそれぞれパネル６を嵌め込む。パネルどうしの間には第４のシール材１２が介装される。パネルの屋根の傾斜方向に沿う側縁を押さえつけるパネル縦押さえ部材１５を配置し、パネルの屋根の傾斜方向と直交する方向の側縁を押さえつけるパネル横押さえ部材１８を配置する。パネル横押さえ部材の上側には第４のシール材を保護する保護板１７が、複数のパネル横押さえ部材にまたがって配置される。保護板には、上方に突出する雪止部２０を設ける。【選択図】        図２
2005105751.tif 000002
【特許請求の範囲】
【請求項１】
傾斜した屋根に設けられる天窓であって、
屋根の傾斜方向に延びかつ互いの幅方向に間隔をあけて配置される複数の縦枠部材と屋根の傾斜方向と直交する方向に延びかつ互いの幅方向に間隔をあけて配置される複数の横枠部材とによって格子状のパネルフレームが構成され、
該パネルフレームの縦枠部材と横枠部材とに囲まれる領域にそれぞれパネルが嵌め込まれ、
該パネルどうしの前記屋根の傾斜方向と直交する側縁の間にはシール材が介装され、
該パネルの前記屋根の傾斜方向に沿う側縁を上側から押さえつけるパネル縦押さえ部材が配置され、
前記パネルの前記屋根の傾斜方向と直交する方向の側縁を上側から押さえつけるパネル横押さえ部材が、前記シール材の延在する方向に所定間隔をあけながら設けられ、
前記パネル横押さえ部材の上側には前記シール材を保護する保護板が配置されていることを特徴とする天窓。
【請求項２】
前記保護板には、上方に突出する雪止部が設けられていることを特徴とする請求項１記載の天窓。
【発明の詳細な説明】
【技術分野】
【０００１】
本発明は、天窓に係り、例えば、ビル等の傾斜した屋根に設けられる大面積の天窓に関する。
【背景技術】
【０００２】
ビル等の建物の中には傾斜した屋根として天窓を利用したがある。このような天窓は、建物の屋根に設けられる採光用の窓であり、壁面の窓からの採光に比べて採光量が多く、かつ意匠性に優れた建物とすることができるため、最近、広く使用されるようになっている。
【０００３】
この種の天窓として、特許文献１には、屋根の傾斜方向に沿って並設される一対の縦枠材を３本の無目材で連結するとともに、それら縦枠材の間にガラスパネルを嵌め込んで構成されるフレームユニットを工場で生産し、これを現場まで運送してセットし、かつそれらフレームユニット間に形成される空間にガラスパネルを現場にて嵌め込むものが開示されている。
【特許文献１】特開平１０−１６９１１３号公報
【発明の開示】
【発明が解決しようとする課題】
【０００４】
しかし、特許文献１に示された構造では、互いに対向するガラスパネルの側縁どうしがシール材で接合されているが、このシール材が紫外線により劣化したり、鳥害にあったりする問題があった。また、雪止めを行うに当たり適当な手段がなく、雪止めができないという問題もあった。
【０００５】
本発明は上記事情に鑑みてなされたもので、その目的とすることは、パネルどうしを接合するシール材を、紫外線並びに鳥害から保護することができ、また、雪止めも可能な天窓を提供することにある。
【課題を解決するための手段】
【０００６】
請求項１記載の天窓は、傾斜した屋根に設けられる天窓であって、
屋根の傾斜方向に延びかつ互いの幅方向に間隔をあけて配置される複数の縦枠部材と屋根の傾斜方向と直交する方向に延びかつ互いの幅方向に間隔をあけて配置される複数の横枠部材とによって格子状のパネルフレームが構成され、
該パネルフレームの縦枠部材と横枠部材とに囲まれる領域にそれぞれパネルが嵌め込まれ、
該パネルどうしの前記屋根の傾斜方向と直交する側縁の間にはシール材が介装され、
該パネルの前記屋根の傾斜方向に沿う側縁を上側から押さえつけるパネル縦押さえ部材が配置され、
前記パネルの前記屋根の傾斜方向と直交する方向の側縁を上側から押さえつけるパネル横押さえ部材が、前記シール材の延在する方向に所定間隔をあけながら設けられ、
前記パネル横押さえ部材の上側には前記シール材を保護する保護板が配置されていることを特徴とする。
請求項２記載の天窓は、請求項１記載のものにおいて、前記保護板に、上方に突出する雪止部が設けられていることを特徴とする。
【発明の効果】
【０００７】
本発明に係る天窓では、パネルの屋根の傾斜方向に沿う側縁を、パネル縦押さえ部材によって上側から押さえつけることができ、また、パネルの屋根の傾斜方向と直交する方向の側縁を、パネル横押さえ部材によって所定間隔をあけながら上側から押さえつけることができ、このようにパネルの前後左右の側縁それぞれを上側から押さえて固定できるから、パネルの強固な固定が実現できる。
また、パネル横押さえ部材がシール材の延在する方向に所定間隔をあけながら配置されているため、パネル上面と保護板の下面との間には、パネル横押さえ部材が介在されていない部分に空間が形成される。この空間を通って雨水が屋根の傾斜方向に沿って流れる。このため、雨水のスムーズ流れが確保される。
また、パネルの側縁どうしの間に介装されるシール材は、その上方を保護板で覆われるため、該シール材に太陽光が当たりにくくなって紫外線による劣化を防止でき、また、鳥害も防止できる。
さらに、シール材の上方にある保護板に雪止めを設ける構成とする場合、パネル上の積雪に対して有効に雪止めができる。
【発明を実施するための最良の形態】
【０００８】
以下、本発明の実施の形態を図面に基づき説明する。
図１は、本発明に係る天窓の一部を表す斜視図である。図１及び図２に示すように、天窓１は、傾斜した屋根に設けられるものであって、屋根の傾斜方向に延びかつ互いの幅方向に間隔をあけて配置される複数の縦枠部材２、及び屋根の傾斜方向と直交する方向に延びかつ互いの幅方向に間隔をあけて配置される複数の横枠部材３によって構成される格子状のパネルフレーム４と、パネルフレーム４の縦枠部材２と横枠部材３とに囲まれる領域５にそれぞれ嵌め込まれる例えばパネル６からなる基本構成である。
【０００９】
図３に示すように、縦枠部材２は、例えばアルミニウム材料の引き抜き加工により形成されるもので、４角形状の基部２ａと、該基部２ａの底部から左右両側に張り出すＬ字状の脚部２ｂ，２ｂと、それら脚部２ｂの上方に位置するよう前記基部２ａの上部から左右張り出すパネル受け２ｃ，２ｃと、前記基部２ａの中央上部に突出して設けられた起立部２ｄとからなっている。パネル受け２ｃ上には、緩衝材７を介して前記パネル６が載置される。
【００１０】
横枠部材３も、例えばアルミニウム材料の引き抜き加工により形成されるもので、２重の略４角形状をなす基部３ａと、該基部３ａの底部から左右両側に張り出すＬ字状の脚部３ｂ，３ｂと、それら脚部３ｂの上方に位置するよう前記基部３ａの上部から左右張り出すパネル受け３ｃ，３ｃと、前記基部３ａの中央上部に突出して設けられた起立部３ｄとからなっている。パネル受け３ｃ上には、緩衝材８を介して前記パネル６が載置される。
【００１１】
横枠部材３の起立部３ｄは、上縁部分が長さ方向に沿って所定間隔置きに切欠３ｅが形成され、これにより起立部３ｄは高さの高い部分３ｄａと高さの低い部分３ｄｂが交互に形成されている。高さの高い部分３ｄａは、前記縦枠部材２の起立部２ｄと同程度の高さになるように設定されている。
【００１２】
ここで、横枠部材３は、前記縦枠部材２に直交するよう、縦枠部材２の長さ方向所定間隔置きに、溶接あるいは取付金具等の固定手段を介して縦枠部材２に固定され、これにより前記パネルフレーム４が構成されている。
【００１３】
前記パネル６は、図４、図５に示すように、ガラス板の３層構造になっている。すなわち、下部に配置される網入りの下ガラス板６ａと、高さ方向中央に配置される中ガラス板６ｂと上部に配置される上ガラス板６ｃとからなっている。
下ガラス板６ａと中ガラス板６ｂとは互いに重ね合わされた状態で、前記パネル受け２ｃ、３ｃ上の緩衝材７、８の上側に載置される。中ガラス６ｂと上ガラス板６ｃとの間には、第１のシール材９及びその内側の第２のシール材１０がそれぞれ介装されている。また、下ガラス板６ａ及び中ガラス板６ｂの端面には、それらに対向するように第３のシール材１１が貼着されている。さらに、隣接する上ガラス板６ｃの端面どうしの間には第４のシール材１２が介装されている。
【００１４】
前記第１のシール材９はスペーサとしての機能、また第３のシール材１１はガラス板６ａ、６ｂ端部への止水性の機能をそれぞれ果たすものであり、それら第１、第３のシール材９，１１は、超高モデュラスの性質を持つ例えばシリコーン系のシール材料からなっている。第２のシール材１０は、中ガラス板６ｂと上ガラス板６ｃとの間の空間に水蒸気が侵入するのを防止するためのものであり、例えばブチル系のシール材料からなっている。また、第４のシール材１２は、隣接する上ガラス板６ｃの熱膨張等に伴う動きに追従して、それら両ガラス板６ｃ間の液密性を確保するためのものであり、低モデュラスの性質を持つ例えばシリコン系のシール材からなっている。
【００１５】
図２に示すように、縦枠部材２の起立部２ｄの上面には平板１４が止めねじあるいは接着剤等の適宜固定手段で固定されている。平板１４とパネル６の上面との間には、パネル６の屋根の傾斜方向に沿う側縁（より詳しくは、上ガラス板６ｃの側縁６ｃａ）を全域にわたって上側から押さえつけるパネル縦押さえ部材１５が、その長さ方向に連続しながら配置され、また、このパネル縦押さえ部材１５のパネル中央側にはシール材１６が配置されている（図２参照）。
【００１６】
また、図２及び図４に示すように、横枠部材３の起立部３ｄの上面には、保護板１７が例えば止めねじ１７ａにより固定されている。保護板１７は、前記パネル６（より詳しくは、上ガラス板６ｃ）どうしの屋根の傾斜方向と直交する側縁の間に介装される第４のシール材１２を保護するためのものであり、この第４のシール材１２との間に適宜間隔をあけて配置される。保護板１７とパネル６との間には、パネル６の屋根の傾斜方向と直交する方向の側縁（より詳しくは、上ガラス板６ｃの側縁６ｃｂ）を上側から押さえつける、例えばコ字状のガスケットからなるパネル横押さえ部材１８が、前記第４のシール材１２の延在する方向に所定間隔をあけて配置されている。パネル横押さえ部材１８の屋根傾斜方向の下端部と上端部とはシール材１９で囲まれ、パネル横押さえ部材１８内に雨水が浸入しないようになっている。また、このパネル横押さえ部材１８が設けられる個所は、前記横枠部材３の起立部３ｄの高さの高い部分３ｄａであり、この高さの高い部分３ｄａに反力をとり、保護板１７を介してパネル横押さえ部材１８によってパネル６を上側から押さえつけるようになっている。
【００１７】
また、保護板１７は、前記縦枠部材２の上方に位置する平板１４の間に配置されるよう、複数のパネル横押さえ部材１８にまたがって設けられている。
保護板１７には、傾斜方向の上側に上方に突出する雪止部２０が保護板１７の長さ方向に沿って設けられている。
【００１８】
次に上記構成の天窓１の作用について説明する。
上述の天窓１では、パネル６の屋根の傾斜方向に沿う側縁を、パネル縦押さえ部材１５によって全域にわたって上側から押さえつけることができ、また、パネル６の屋根の傾斜方向と直交する方向の側縁を、パネル横押さえ部材１８によって所定間隔をあけながら上側から押さえつけることができ、このようにパネル６の前後左右の側縁それぞれを上側から押さえて固定できるから、パネル６の強固な固定が実現できる。
【００１９】
また、パネル横押さえ部材１８が第４のシール材１２の延在する方向に所定間隔をあけながら配置されているため、パネル６どうしの間に介装される第４のシール材１２あるいはパネル６の上面と保護板１７の下面との間には、パネル横押さえ部材が介在されていない部分に空間Ｓが形成され、この空間Ｓを通って図１中白抜き矢印で示すように、雨水が屋根の傾斜方向に沿って流れる。このため、雨水のスムーズ流れが確保される。
【００２０】
また、パネル６の側縁どうしの間に介装される第４のシール材１２は、その上方を保護板１７で覆われるため、該第４のシール材１２に太陽光が当たりにくくなって紫外線による劣化を防止でき、また、鳥害も防止できる。
さらに、第４のシール材１２の上方にある保護板１７に雪止部２０を設けているので、この雪止部２０によって、パネル６上の積雪に対し雪止めが行える。
【００２１】
加えて、パネル６を構成する下ガラス板６ａ及び中ガラス板６ｂの端部を、止水性を有する第３のシール材１１で覆っているから、下ガラス板６ａ内の金網に対する錆止めが有効に行える。また、中ガラス板６ｂと上ガラス板６ｃの間に第２のシール材１０を介在させているので、それら両ガラス板６ｂ、６ｃの間に水蒸気が侵入するのを防止でき、そこでの結露を未然に防止できる。
【図面の簡単な説明】
【００２２】
【図１】本発明の天窓の一実施形態を示す斜視図である。
【図２】図１のII円部の拡大斜視図である。
【図３】本発明の天窓の一実施形態で用いられるパネルフレームの詳細を示す斜視図である。
【図４】図２のIV−IV線に沿う断面図である。
【図５】図２のV−V線に沿う断面図である。
【符号の説明】
【００２３】
１  天窓
２  縦枠部材
３  横枠部材
４  パネルフレーム
５  領域
６  パネル
１２  第４のシール材
１５  パネル縦押さえ部材
１７  保護板
１８  パネル横押さえ部材
２０  雪止部
【図１】
2005105751.tif 000003
【図２】
2005105751.tif 000004
【図３】
2005105751.tif 000005
【図４】
2005105751.tif 000006
【図５】
2005105751.tif 000007